(57)【特許請求の範囲】
【請求項１】
被洗浄消毒物を洗浄消毒する装置本体を具備する内視鏡洗浄消毒装置であって、
前記装置本体に設けられた、前記被洗浄消毒物が収容される洗浄消毒槽と、
前記装置本体における前記洗浄消毒槽の底部または底部近傍、若しくは前記装置本体の前記洗浄消毒槽の収容口を開閉自在な蓋体に設けられた、前記洗浄消毒槽に収容された複数の前記被洗浄消毒物毎に設けられた識別タグから、各前記被洗浄消毒物に関する識別情報をそれぞれ読み取る１つの識別情報読み取り部と、
前記洗浄消毒槽において、各前記被洗浄消毒物を、前記識別情報読み取り部が各前記識別タグから前記識別情報をそれぞれ読み取れる位置に規定する位置規制部材と、
前記識別情報読み取り部を移動させる移動部材と、
を具備し、
前記移動部材による前記識別情報読み取り部の移動に伴い、前記識別情報読み取り部は前記洗浄消毒槽に収容された複数の前記被洗浄消毒物の各前記識別タグから前記識別情報を読み取ることを特徴とする内視鏡洗浄消毒装置。
【請求項２】
前記移動部材は、前記装置本体において、前記識別情報読み取り部を、前記洗浄消毒槽の底面において該底面における平面方向に移動させ、
前記移動部材による前記識別情報読み取り部の移動に伴い、前記識別情報読み取り部は前記洗浄消毒槽に収容された複数の前記被洗浄消毒物の各前記識別タグから前記識別情報をそれぞれ読み取ることを特徴とする請求項１に記載の内視鏡洗浄消毒装置。
【請求項３】
前記移動部材は、前記蓋体の開閉に伴い、前記識別情報読み取り部を移動させることを特徴とする請求項１または２に記載の内視鏡洗浄消毒装置。
【発明の詳細な説明】
【技術分野】
【０００１】
本発明は、被洗浄消毒物を洗浄消毒する装置本体を具備する内視鏡洗浄消毒装置に関する。
【背景技術】
【０００２】
近年、内視鏡は、医療分野及び工業用分野において広く利用されている。医療分野において用いられる内視鏡は、細長い挿入部を体腔内に挿入することによって、体腔内の臓器を観察したり、必要に応じて内視鏡が具備する処置具の挿通チャンネル内に挿入した処置具を用いて各種処置をしたりすることができる。
【０００３】
医療分野の内視鏡は、特に検査及び治療を目的として体腔内に挿入されて使用されるものであるため、使用後、再度使用するためには洗浄消毒が必要となる。この使用済みの内視鏡を洗浄消毒する方法としては、例えば、内視鏡洗浄消毒装置（以下、単に洗浄消毒装置と称す）を用いて行う方法が周知である。
【０００４】
洗浄消毒装置を用いれば、内視鏡は、洗浄消毒装置の洗浄消毒槽内にセットされるのみで、内視鏡に対して、自動的に、洗浄、消毒、濯ぎ及び水切り等（以下、洗浄消毒工程と称す）を行うことができる。この際、内視鏡は、該内視鏡の外表面のみならず、内視鏡が内部に有する既知の送気送水管路、処置具挿通管路等の内視鏡管路内も洗浄消毒される。尚、洗浄消毒装置は、内視鏡のみならず、他の医療器具の洗浄消毒も行うことができる。以下、洗浄消毒装置によって洗浄消毒されるものを、被洗浄消毒物と称す。
【０００５】
また、装置本体に、識別情報読み取り部（以下、単に読み取り部と称す）を設け、読み取り部に対し、例えばＲＦＩＤから構成された被洗浄消毒物に設けられたＩＤタグが、ユーザによって近付けられることにより、装置本体が具備する制御部のメモリに内視鏡に関する識別情報を登録することにより、どの内視鏡を洗浄消毒したかの履歴を管理することができる機能を有する洗浄消毒装置も周知であり、例えば特許文献１に開示されている。
【０００６】
特許文献１には、洗浄消毒装置に、読み取り部に相当する送受信回路本体が設けられており、ユーザによって把持された内視鏡に設けられたＲＦＩＤが送受信回路本体に近付けられることにより、読み取り部が識別情報を読み取ることのできる洗浄消毒装置が開示されている。
【０００７】
しかしながら、特許文献１に開示された洗浄消毒装置においては、識別情報を読み取り部に読み取らす際、ユーザは、内視鏡を把持して、該内視鏡のＲＦＩＤを、意図的に読み取り部に近付けなくてはならず、大変煩雑であるといった問題があった。
【０００８】
尚、このことは、特に、洗浄消毒槽に複数の被洗浄消毒物を収容する場合においては、複数の被洗浄消毒物を洗浄消毒槽に収容する毎にＲＦＩＤを読み取り部に意図的に近付けなくてはならないため、より煩雑であるといった問題があった。
【０００９】
このような問題に鑑み、特許文献２には、洗浄消毒槽の底面に、読み取り部に相当するアンテナを複数設け、複数の被洗浄消毒物を、洗浄消毒槽に収容するのみで、識別情報を複数のアンテナから自動で読み取ることのできる洗浄消毒装置が開示されている。
【００１０】
このような構成によれば、ユーザは、洗浄消毒装置に識別情報を読み取らせる際、ＲＦＩＤを読み取り部に意図的に近付ける必要がなく、被洗浄消毒物を洗浄消毒槽に収容するのみで良いことから、識別情報を読み取り部に読み取らせる作業が容易となり、作業の効率化を図ることができる。
【特許文献１】特再表ＷＯ２００２／０３２４６８号公報
【特許文献２】特開２００２−２７２６８４号公報
【発明の開示】
【発明が解決しようとする課題】
【００１１】
しかしながら、特許文献２に開示された洗浄消毒槽においては、洗浄消毒槽の底面に、複数のアンテナを設けなくてはならないことから、アンテナを１つのみ設ける場合よりも製造コストが高くなってしまう他、洗浄消毒装置における複数のアンテナの配置スペースがアンテナを１つ設けた場合よりも大きくなってしまうといった問題があった。
【００１２】
また、複数のアンテナを設けると、各アンテナにおける送受信を切り換えるアンテナ切り換えユニットがさらに必要となることから、従来よりも製造コストが高くなってしまうといった問題があった。
【００１３】
本発明の目的は、上記事情に鑑みてなされたものであり、洗浄消毒槽に収容された被洗浄消毒物の識別情報を、自動的に読み取ることができる読み取り部がコンパクトに配置されるとともに、低コストで製造できる構成を具備する洗浄消毒装置を提供することにある。
【課題を解決するための手段】
【００１４】
上記目的を達成するため本発明の一態様による内視鏡洗浄消毒装置は、被洗浄消毒物を洗浄消毒する装置本体を具備する内視鏡洗浄消毒装置であって、前記装置本体に設けられた、前記被洗浄消毒物が収容される洗浄消毒槽と、前記装置本体における前記洗浄消毒槽の底部または底部近傍、若しくは前記装置本体の前記洗浄消毒槽の収容口を開閉自在な蓋体に設けられた、前記洗浄消毒槽に収容された複数の前記被洗浄消毒物毎に設けられた識別タグから、各前記被洗浄消毒物に関する識別情報をそれぞれ読み取る１つの識別情報読み取り部と、前記洗浄消毒槽において、各前記被洗浄消毒物を、前記識別情報読み取り部が各前記識別タグから前記識別情報をそれぞれ読み取れる位置に規定する位置規制部材と、前記識別情報読み取り部を移動させる移動部材と、を具備し、前記移動部材による前記識別情報読み取り部の移動に伴い、前記識別情報読み取り部は前記洗浄消毒槽に収容された複数の前記被洗浄消毒物の各前記識別タグから前記識別情報を読み取る。
【発明の効果】
【００１５】
本発明によれば、洗浄消毒槽に収容された被洗浄消毒物の識別情報を、自動的に読み取ることができる読み取り部がコンパクトに配置されるとともに、低コストで製造できる構成を具備する洗浄消毒装置を提供することができる。
【発明を実施するための最良の形態】
【００１６】
以下、図面を参照して本発明の実施の形態を説明する。尚、以下に示す実施の形態においては、洗浄消毒装置によって洗浄消毒される被洗浄消毒物は、内視鏡と、該内視鏡操作用のリモコンと、洗浄消毒の際、内視鏡とリモコンとの少なくとも一方を保持するトレーを例に挙げて説明する。
【００１７】
（第１実施の形態）
図１は、本実施の形態を示す洗浄消毒装置を示す斜視図、図２は、図１の洗浄消毒槽を、トップカバーを透視して概略的にみた洗浄消毒装置の上面図、図３は、図２中のIII-III線に沿う洗浄消毒槽の断面を、洗浄消毒槽にトレー、内視鏡、リモコンが収容された状態で示す断面図、図４は、被洗浄消毒物の各識別タグからそれぞれ識別情報を読み取るための回路の構成を概略的に示すブロック図である。
【００１８】
図１に示すように、洗浄消毒装置１は、装置本体２と、この装置本体２の上面に開閉自在なことにより、装置本体２が具備する洗浄消毒槽６の被洗浄消毒物の収容口６ｓを開閉自在な蓋体であるトップカバー３とにより主要部が構成されている。
【００１９】
装置本体２の外表面には、スタート指示、ストップ指示、各種工程表示、経過時間表示、洗浄消毒工程の設定、ユーザＩＤの設定等の各種操作を行える、表示機能付きの、例えばタッチパネルから構成された操作パネル４が配設されている。尚、操作パネル４は、トップカバー３に設けられていても構わない。
【００２０】
また、装置本体２の操作パネル４が設けられた外表面には、ユーザによって近付けられたＩＤカード２０内の識別情報（以下、ユーザＩＤと称す）を受信するアンテナ７が設けられている。
【００２１】
尚、アンテナ７も、装置本体２の他の外表面の部位に設けられていても構わないし、トップカバー３に設けられていても構わない。
【００２２】
装置本体２の上部に、水道栓から延出されたホースが接続される図示しない給水口が設けられている。このことにより、洗浄消毒槽６には、濯ぎ水として利用される他、洗浄液及び消毒液を希釈するための水道水が、ホース及び給水口を介して水道栓から供給されるようになっている。
【００２３】
装置本体２の上面部には、内視鏡１０や、該内視鏡１０操作用のリモコン８や、トレー１１が収容される洗浄消毒槽６が形成されている。図２に示すように、洗浄消毒槽６は、内視鏡１０の操作部１０ｔの形状に合わせて形成された操作部載置部６ｍと、内視鏡１０の挿入部１０ｓの形状に合わせて形成された挿入部載置部６ｎと、リモコン８の形状に合わせて形成されたリモコン載置部６ｒとを具備している。
【００２４】
尚、洗浄消毒槽６に対して、内視鏡１０及びリモコン８を収容する際には、内視鏡１０及びリモコン８は、図２、図３に示すように、洗浄消毒槽６に対して内視鏡１０及びリモコン８の搬入搬出性を高めるため、トレー１１に保持されて収容される。
【００２５】
トレー１１は、図２に示すように、トレー１１を洗浄消毒槽６に収容した際、該洗浄消毒槽６の操作部載置部６ｍ、挿入部載置部６ｎ、リモコン載置部６ｒにそれぞれ収容される、内視鏡１０の操作部１０ｔが載置される操作部載置部１１ｍと、内視鏡１０の挿入部１０ｓが巻回されて載置される挿入部載置部１１ｎと、リモコン８が載置されるリモコン載置部１１ｒとを具備して構成されている。
【００２６】
具体的には、図２、図３に示すように、平面視した状態で、トレー１１の外周及びリモコン載置部１１ｒを囲う位置に、高さ方向に突出する壁部１１ａを有するとともに、底面部１１ｂを有して、トレー１１は構成されている。
【００２７】
尚、トレー１１の底面部１１ｂには、内視鏡１０やリモコン８を載置した状態で、該内視鏡１０やリモコン８が落ちない程度の開口が形成されており、該開口を介して、トレー１１内に各種流体が供給または排出自在となっている。
【００２８】
また、図２、図３に示すように、トレー１１の操作部載置部１１ｍに、該操作部載置部１１ｍに載置された操作部１０ｔの位置を規制して、操作部１０ｔを位置決めする位置規制部材である位置規制ガイド１３が、操作部載置部１１ｍの底面部１１ｂから起立して設けられている。
【００２９】
さらに、トレー１１のリモコン載置部１１ｒにも、該リモコン載置部１１ｒに載置されたリモコン８の位置を規制して、リモコン８を位置決めする位置規制部材である位置規制ガイド１３が、リモコン載置部１１ｒの底面部１１ｂから起立して設けられている。
【００３０】
図２、図３に示すように、トレー１１の底面部１１ｂに、トレー１１に関する識別情報（以下、トレーＩＤと称す）を有する識別タグであるＩＤタグ１１ｐが設けられている。
【００３１】
また、図２、図３に示すように、内視鏡１０の、例えば操作部１０ｔの底部に、内視鏡１０に関する識別情報（以下、スコープＩＤと称す）を有する識別タグであるＩＤタグ１０ｐが設けられているとともに、リモコン８の底部に、リモコン８に関する識別情報（以下、リモコンＩＤと称す）を有する識別タグであるＩＤタグ８ｐが設けられている。尚、ＩＤタグ１１ｐ、１０ｐ、８ｐは、例えばＲＦＩＤから構成されている。
【００３２】
位置規制ガイド１３は、操作部１０ｔ及びリモコン８を、後述するアンテナ５が、各ＩＤタグ８ｐ、１０ｐから、スコープＩＤ、リモコンＩＤをそれぞれ読み取れる位置に規定するものである。
【００３３】
より具体的には、位置規制ガイド１３は、洗浄消毒槽６に収容された内視鏡１０、リモコン８の各ＩＤタグ１０ｐ、８ｐが、平面視した状態でアンテナ５に重なるとともに、アンテナ５に対して略平行に位置するよう、洗浄消毒槽６における内視鏡１０、リモコン８の位置を規定するものである。
【００３４】
尚、トレー１１も、アンテナ５が、ＩＤタグ１１ｐからトレーＩＤを読み取る位置に、即ち、ＩＤタグ１１ｐが平面視した状態でアンテナ５に重なるとともに、アンテナ５に対し略平行な位置に、洗浄消毒槽６の内周側面６ｖにより規定される。よって、洗浄消毒槽６の内周側面６ｖは、トレー１１を位置決めする位置規制部材を構成している。
【００３５】
また、図１に示すように、洗浄消毒槽６の挿入部載置部６ｎに、洗浄消毒槽６内に、洗浄液、消毒液、濯ぎ水等の液体を供給する用の供給ノズル９が設けられている。供給ノズル９から、洗浄消毒槽６内に、水流を伴った液体が供給されることにより、洗浄消毒槽６内に収容された内視鏡１０及びリモコン８の外表面は洗浄消毒される。
【００３６】
さらに、洗浄消毒槽６の操作部載置部６ｍに、洗浄消毒槽６に載置された内視鏡１０の内部に具備された図示しない処置具挿通用管路や送気送水用管路等の各種内視鏡管路内を洗浄消毒するため、上述した液体を、内視鏡管路内に供給する図示しない液体供給部材や、処置具挿通用管路内を擦り洗いするため、処置具挿通用管路内に洗浄用ブラシを自動的に挿抜する図示しないブラシカセット等が設けられている。
【００３７】
また、図１〜図４に示すように、装置本体２において、洗浄消毒槽６の底部６ｔに、識別情報読み取り部であるアンテナ５が１つ設けられている。アンテナ５は、洗浄消毒槽６に、トレー１１、内視鏡１０、リモコン８が収容された際、図２〜図４に示すように、内視鏡１０、リモコン８、トレー１１毎に設けられたＩＤタグ１０ｐ、８ｐ、１１ｐから、スコープＩＤ、リモコンＩＤ、トレーＩＤをそれぞれ自動的に一度に読み取るものである。
【００３８】
尚、アンテナ５は、内視鏡１０、リモコン８が収容されたトレー１１が洗浄消毒槽６に収容された際、ＩＤタグ１０ｐ、８ｐ、１１ｐに平面視した状態で重なる大きさに形成されている。
【００３９】
また、アンテナ５は、ＩＤタグ１０ｐ、８ｐ、１１ｐを一度に読み取れるのであれば、洗浄消毒槽６の底部６ｔに限らず、装置本体２またはトップカバー３の任意の位置に設けられていても構わない。しかしながら、ＩＤタグ１０ｐ、８ｐ、１１ｐを構成するＲＦＩＤの通信距離は、通常、３〜５ｃｍ程度であることを考慮すると、アンテナ５は、洗浄消毒槽６の底部６ｔに設けられていることが好ましい。
【００４０】
装置本体２内に、洗浄消毒槽６へ液体等を循環させる、電磁弁、逆止弁等が介装された管路網、ポンプ、及びコンプレッサ（いずれも図示されず）等が配設されている。また、図１に示すように、装置本体２内には、上述した電磁弁、ポンプ、コンプレッサ等の電気部品を上記各種工程のプログラミングに従って駆動停止させる制御部１００が配設されている。尚、液体は、装置本体２に配設された図示しない各種タンク内に貯留されている。
【００４１】
また、制御部１００は、アンテナ５を介してスコープＩＤ、リモコンＩＤ、トレーＩＤを読み取る制御を行うとともに、読み取ったスコープＩＤ、リモコンＩＤ、トレーＩＤを記憶したり、読み取った各ＩＤに情報を書き込み、アンテナ５を介して、各ＩＤタグ１０ｐ、１１ｐ、８ｐに情報を書き込む制御を行ったりする。尚、制御部１００は、アンテナ７を介して近付けられたＩＤカード２０からユーザＩＤを読み取る制御も行う。
【００４２】
具体的には、図４に示すように、制御部１００は、アンテナ５と通信自在なＲ／Ｗ回路１０１と、ＩＦ回路１０２と、ＣＰＵ１０３と、メモリ１０４とを具備して主要部が構成されている。
【００４３】
Ｒ／Ｗ回路１０１は、ＣＰＵ１０３の制御により、アンテナ５を介した各ＩＤの読み込みを行うとともに、アンテナ５を介した各ＩＤタグ１０ｐ、１１ｐ、８ｐへの書き込みを行う回路である。尚、Ｒ／Ｗ回路１０１は、ＣＰＵ１０３の制御により、アンテナ７を介したユーザＩＤの読み込みも行う。
【００４４】
また、ＩＦ回路１０２は、Ｒ／Ｗ回路１０１とＣＰＵ１０３との通信のやりとりを行うインターファースであり、ＣＰＵ１０３は、Ｒ／Ｗ回路１０１、ＩＦ回路１０２の各駆動制御を行うとともに、メモリ１０４に各ＩＤを記憶したり、メモリ１０４から各ＩＤを読み出したりするものである。また、メモリ１０４には、読み取ったスコープＩＤ、リモコンＩＤ、トレーＩＤが記憶される他、アンテナ７から読み取ったユーザＩＤも記憶される。
【００４５】
尚、その他の洗浄消毒装置１の構成は、周知であるため、その説明は省略する。
【００４６】
次に、このように構成された本実施の形態の作用について、上述した図１〜図４を用いて説明する。
【００４７】
尚、以下に示す作用は、洗浄消毒装置１において、洗浄消毒槽６内に対し内視鏡１０、リモコン８が収容されたトレー１１を収容する作用について説明する。よって、その他の洗浄消毒装置１の作用は周知であるため、その説明は省略する。
【００４８】
先ず、内視鏡１０、リモコン８、トレー１１を、洗浄消毒装置１を用いて洗浄消毒する際は、ユーザは、内視鏡１０、リモコン８をトレー１１の挿入部載置部１１ｎ、操作部載置部１１ｍ、リモコン載置部１１ｒにそれぞれ収容する。この際、位置規制ガイド１３により、トレー１１内において、内視鏡１０の操作部１０ｔ及びリモコン８が位置決めされる。
【００４９】
次いで、図４に示すように、ユーザは、トレー１１を、洗浄消毒槽６に対し、挿入部載置部１１ｎが挿入部載置部６ｎに位置され、操作部載置部１１ｍが操作部載置部６ｍに位置され、リモコン載置部１１ｒがリモコン載置部６ｒに位置されるように収容する。
【００５０】
この際、トレー１１、操作部１０ｔ、リモコン８が、洗浄消毒槽６の内周側面６ｖ及び位置規制ガイド１３により、アンテナ５が各ＩＤタグ１１ｐ、８ｐ、１０ｐからトレーＩＤ、スコープＩＤ、リモコンＩＤをそれぞれ読み取れる位置に規定される。
【００５１】
より具体的には、洗浄消毒槽６に収容されたトレー１１、内視鏡１０、リモコン８の各ＩＤタグ１１ｐ、１０ｐ、８ｐが、平面視した状態でアンテナ５に重なるとともに、アンテナ５に略平行に位置するよう、洗浄消毒槽６におけるトレー１１、内視鏡１０、リモコン８の位置が規定される。
【００５２】
その後、制御部１００により、アンテナ５を介して、内視鏡１０、トレー１１、リモコン８の各ＩＤタグ１０ｐ、１１ｐ、８ｐから、スコープＩＤ、トレーＩＤ、リモコンＩＤがそれぞれ一度に、自動的に読み取られる。読み取られたスコープＩＤ、トレーＩＤ、リモコンＩＤは、メモリ１０４にそれぞれ記憶される。
【００５３】
その後、ユーザは、装置本体２に対し、トップカバー３を閉成し、ＩＤカード２０をアンテナ７に近付けることにより、アンテナ７にユーザＩＤを読み取らせた後、操作パネル４からスタートボタンをオンすると、洗浄消毒工程が開始される。
【００５４】
このように、本実施の形態においては、洗浄消毒槽６の底部６ｔに、洗浄消毒槽６に、トレー１１、内視鏡１０、リモコン８が収容された際、ＩＤタグ１０ｐ、８ｐ、１１ｐに平面視した状態で重なる大きさに形成された、ＩＤタグ１０ｐ、８ｐ、１１ｐからスコープＩＤ、リモコンＩＤ、トレーＩＤをそれぞれ一度に自動的に読み取るアンテナ５が設けられていると示した。
【００５５】
また、トレー１１に設けられた位置規制ガイド１３は、洗浄消毒槽６に収容された内視鏡１０、リモコン８の各ＩＤタグ１０ｐ、８ｐが、平面視した状態でアンテナ５に重なるよう、洗浄消毒槽６における内視鏡１０、リモコン８の位置を規定するとともに、洗浄消毒槽６の内周側面６ｖは、洗浄消毒槽６に収容されたＩＤタグ１１ｐが、平面視した状態でアンテナ５に重なるよう、洗浄消毒槽６におけるトレー１１の位置を規定すると示した。
【００５６】
このことによれば、ユーザによって、洗浄消毒槽６に、内視鏡１０、リモコン８が収容されたトレー１１が収容されるのみで、各ＩＤタグ１０ｐ、８ｐ、１１ｐから、各スコープＩＤ、リモコンＩＤ、トレーＩＤを、アンテナ５は、一度に読み取ることができる。
【００５７】
また、読み取りに用いるアンテナ５は、１つのみで良いことから、装置本体２内にコンパクトに配置させることができる他、複数設ける場合よりもコスト削減を図ることができる。
【００５８】
以上から、洗浄消毒槽６に収容された内視鏡１０、リモコン８、トレー１１の各スコープＩＤ、リモコンＩＤ、トレーＩＤを、自動的に読み取ることができるアンテナ５がコンパクトに配置されるとともに、低コストで製造できる構成を具備する洗浄消毒装置１を提供することができる。
【００５９】
尚、以下、変形例を、図７〜図９を用いて示す。図７は、本実施の形態の変形例を示す洗浄消毒槽を、トップカバーを透視して概略的にみた洗浄消毒装置の上面図、図８は、図７中のVIII-VIII線に沿う洗浄消毒槽の断面を、洗浄消毒槽にトレー、内視鏡、リモコンが収容された状態で示す断面図、図９は、図７、図８のアンテナがスコープＩＤ、リモコンＩＤ、トレーＩＤを読み取る様子を示す図である。
【００６０】
本実施の形態においては、アンテナ５は、洗浄消毒槽６の底部６ｔにおいて、ＩＤタグ１０ｐ、８ｐ、１１ｐに平面視した状態で重なる大きさに形成されていると示した。
【００６１】
また、ＩＤタグ１１ｐは、トレー１１の底面部１１ｂに設けられており、ＩＤタグ８ｐは、リモコン８の底部に設けられており、ＩＤタグ１０ｐは、操作部１０ｔの底部に設けられているとし、操作部１０ｔ及びリモコン８をトレー１１に収容して、トレー１１を洗浄消毒槽６に収容すると、各ＩＤタグ１０ｐ、８ｐ、１１ｐは、アンテナ５に平面視した状態で重なると示した。
【００６２】
これに限らず、図７〜図９に示すように、操作部１０ｔ及びリモコン８をトレー１１に収容して、トレー１１を洗浄消毒槽６に収容した際、洗浄消毒槽６の底部６ｔの近傍において、ＩＤタグ８ｐ、１０ｐ、１１ｐ及びアンテナ５が洗浄消毒槽６の高さ方向Ｈに沿って設けられるとともに、高さ方向Ｈに直交する洗浄消毒槽６の幅方向Ｙに沿って並んで設けられても構わない。
【００６３】
具体的には、図７、図８に示すように、トレー１１の幅方向Ｙにおいて、操作部載置部１１ｍとリモコン載置部１１ｒとが隣り合う位置に、底面部１１ｂから高さ方向Ｈに突出した張り出し部１１ｑが形成されている。
【００６４】
また、洗浄消毒槽６の幅方向Ｙにおいても、操作部載置部６ｍとリモコン載置部６ｒとが隣り合う位置に、底面６ｔから高さ方向Ｈに突出した張り出し部６ｑが形成されており、張り出し部６ｑは、トレー１１を洗浄消毒槽６に収容した際、張り出し部１１ｑの内部の空間１１ｑｉに位置する。
【００６５】
また、張り出し部６ｑの内部６ｑｉにおいて、高さ方向Ｈに沿って、アンテナ５が、例えば端部が洗浄消毒槽６の底部に固定されることにより設けられている。さらに、トレー１１の張り出し部１１ｑにおいて、高さ方向Ｈに沿ってＩＤタグ１１ｐが設けられている。
【００６６】
その結果、トレー１１が洗浄消毒槽６に収容された際、洗浄消毒槽６の内周側面６ｖによって、図９に示すように、ＩＤタグ１１ｐが、アンテナ５の読み取り面５ｙを指向するとともに、アンテナ５に並んで位置するよう、トレー１１の位置が規定される。
【００６７】
さらに、内視鏡１０の操作部１０ｔの側面において、高さ方向Ｈに沿ってＩＤタグ１０ｐが設けられているとともに、また、リモコン８の側面において、高さ方向Ｈに沿ってＩＤタグ８ｐが設けられている。
【００６８】
その結果、操作部１０ｔが操作部載置部１１ｍに載置され、リモコン８がリモコン載置部１１ｒに載置された際、位置規制ガイド１３によって、図９に示すように、洗浄消毒槽６に収容された内視鏡１０、リモコン８の各ＩＤタグ１０ｐ、８ｐが、アンテナ５の読み取り面５ｙ、５ｘにそれぞれ指向するとともに、アンテナ５に並んで位置するよう、内視鏡１０の操作部１０ｔ、リモコン８の位置がそれぞれ規定される。
【００６９】
次に、このように構成された本変形例の作用について、上述した図７〜図９を用いて説明する。
【００７０】
先ず、内視鏡１０、リモコン８、トレー１１を、洗浄消毒装置１を用いて洗浄消毒する際は、ユーザは、内視鏡１０、リモコン８をトレー１１の挿入部載置部１１ｎ、操作部載置部１１ｍ、リモコン載置部１１ｒにそれぞれ収容する。この際、位置規制ガイド１３により、トレー１１内において、内視鏡１０の操作部１０ｔ及びリモコン８が位置決めされる。
【００７１】
次いで、図７、図８に示すように、ユーザは、トレー１１を、洗浄消毒槽６に対し、挿入部載置部１１ｎが挿入部載置部６ｎに位置され、操作部載置部１１ｍが操作部載置部６ｍに位置され、リモコン載置部１１ｒがリモコン載置部６ｒに位置されるように収容する。
【００７２】
この際、トレー１１、操作部１０ｔ、リモコン８が、洗浄消毒槽６の内周側面６ｖ及び位置規制ガイド１３により、アンテナ５が各ＩＤタグ１１ｐ、８ｐ、１０ｐからトレーＩＤ、スコープＩＤ、リモコンＩＤをそれぞれ読み取れる位置に規定される。
【００７３】
より具体的には、洗浄消毒槽６に収容されたトレー１１、内視鏡１０、リモコン８の各ＩＤタグ１１ｐ、１０ｐ、８ｐが、それぞれアンテナ５の読み取り面５ｘ、５ｙを指向するとともに、アンテナ５に対して幅方向Ｙに並ぶよう、洗浄消毒槽６におけるトレー１１、内視鏡１０、リモコン８の位置が規定される。
【００７４】
その後、制御部１００により、アンテナ５を介して、内視鏡１０、トレー１１、リモコン８の各ＩＤタグ１０ｐ、１１ｐ、８ｐから、スコープＩＤ、トレーＩＤ、リモコンＩＤがそれぞれ一度に、自動的に読み取られる。
【００７５】
これは、図９に示すように、アンテナ５は、読み取り面５ｘ、５ｙの両方に磁束が通るよう構成されていることから、アンテナ５に対して幅方向Ｙに並んで位置する各ＩＤタグ１０ｐ、１１ｐ、８ｐから、スコープＩＤ、トレーＩＤ、リモコンＩＤの読み取りが可能となるためである。尚、読み取られたスコープＩＤ、トレーＩＤ、リモコンＩＤは、メモリ１０４にそれぞれ記憶される。
【００７６】
その後、ユーザは、装置本体２に対し、トップカバー３を閉成し、ＩＤカード２０をアンテナ７に近付けることにより、アンテナ７にユーザＩＤを読み取らせた後、操作パネル４からスタートボタンをオンすると、洗浄消毒工程が開始される。
【００７７】
このような構成であっても、ユーザによって、洗浄消毒槽６に、内視鏡１０、リモコン８が収容されたトレー１１が収容されるのみで、各ＩＤタグ１０ｐ、８ｐ、１１ｐから、各スコープＩＤ、リモコンＩＤ、トレーＩＤを、アンテナ５は、一度に読み取ることができる。
【００７８】
また、読み取りに用いるアンテナ５は、１つのみで良いことから、装置本体２内にコンパクトに配置させることができる他、複数設ける場合よりもコスト削減を図ることができる。
【００７９】
以上から、洗浄消毒槽６に収容された内視鏡１０、リモコン８、トレー１１の各スコープＩＤ、リモコンＩＤ、トレーＩＤを、自動的に読み取ることができるアンテナ５がコンパクトに配置されるとともに、低コストで製造できる構成を具備する洗浄消毒装置１を提供することができる。
【００８０】
尚、以下、別の変形例を、図１０、図１１を用いて示す。図１０は、本実施の形態の別の変形例を示す洗浄消毒槽及びトップカバーの断面を、洗浄消毒槽にトレー、内視鏡、リモコンが収容された状態で示す断面図、図１１は、図１０のトップカバーが洗浄消毒槽に対し閉成された状態を示す断面図である。
【００８１】
本実施の形態においては、アンテナ５は、洗浄消毒槽６の底部６ｔにおいて、ＩＤタグ１０ｐ、８ｐ、１１ｐに平面視した状態で重なる大きさに形成されていると示した。
【００８２】
また、ＩＤタグ１１ｐは、トレー１１の底面部１１ｂに設けられており、ＩＤタグ８ｐは、リモコン８の底部に設けられており、ＩＤタグ１０ｐは、操作部１０ｔの底部に設けられているとし、操作部１０ｔ及びリモコン８をトレー１１に収容して、トレー１１を洗浄消毒槽６に収容すると、各ＩＤタグ１０ｐ、８ｐ、１１ｐは、アンテナ５に平面視した状態で重なると示した。
【００８３】
これに限らず、図１０、図１１に示すように、アンテナ５が、トップカバー３の内面において、トップカバー３を洗浄消毒槽４に対して閉成した後、ＩＤタグ１０ｐ、８ｐ、１１ｐに平面視した状態で重なる大きさに形成されているとともに、ＩＤタグ１１ｐが、トレー１１の操作部載置部６ｍとリモコン載置部６ｒとの間の壁部１１ａの上部に設けられ、ＩＤタグ１０ｐが、操作部１０ｔの上部に設けられ、さらに、ＩＤタグ８ｐが、リモコン８の上部に設けられていても構わない。
【００８４】
このような構成によれば、トレー１１に上述したように内視鏡１０、リモコン８を収容した後、図１０に示すように、トレー１１を、洗浄消毒槽４に収容し、図１１に示すように、トップカバー３を洗浄消毒槽４に対し閉成すれば、アンテナ５は、ＩＤタグ１０ｐ、８ｐ、１１ｐに近接するとともに、平面視した状態で、ＩＤタグ１０ｐ、８ｐ、１１ｐに重なることから、制御部１００により、アンテナ５を介して、内視鏡１０、トレー１１、リモコン８の各ＩＤタグ１０ｐ、１１ｐ、８ｐから、スコープＩＤ、トレーＩＤ、リモコンＩＤをそれぞれ一度に、自動的に読み取ることができる。
【００８５】
よって、このような構成であっても、ユーザによって、洗浄消毒槽６に、内視鏡１０、リモコン８が収容されたトレー１１が収容され、トップカバー３が閉成されるのみで、各ＩＤタグ１０ｐ、８ｐ、１１ｐから、各スコープＩＤ、リモコンＩＤ、トレーＩＤを、アンテナ５は、一度に読み取ることができる。
【００８６】
また、読み取りに用いるアンテナ５は、トップカバー３に設けられることから、装置本体２内にアンテナ５を設ける必要がなくなるため、装置本体２の省スペース化を図ることができる。
【００８７】
以上から、洗浄消毒槽６に収容された内視鏡１０、リモコン８、トレー１１の各スコープＩＤ、リモコンＩＤ、トレーＩＤを、自動的に読み取ることができるアンテナ５がコンパクトに配置されるとともに、低コストで製造できる構成を具備する洗浄消毒装置１を提供することができる。
【００８８】
（第２実施の形態）
図５は、本実施の形態の洗浄消毒装置におけるトップカバー開成の際の洗浄消毒槽の断面を、洗浄消毒槽にトレー、内視鏡、リモコンが収容された状態で示す断面図、図６は、図５のトップカバーが閉成された状態を示す断面図である。
【００８９】
この第２実施の形態の洗浄消毒装置の構成は、上述した図１〜図４に示した第１実施の形態の洗浄消毒装置と比して、アンテナが洗浄消毒槽の底部における平面方向に移動することにより、被洗浄消毒物のＩＤタグを読み取る点が異なる。よって、この相違点のみを説明し、第１実施の形態と同様の構成には同じ符号を付し、その説明は省略する。
【００９０】
図５に示すように、洗浄消毒槽６の底部６ｔに、内視鏡１０、トレー１１、リモコン８の各ＩＤタグ１０ｐ、１１ｐ、８ｐからスコープＩＤ、トレーＩＤ、リモコンＩＤをそれぞれ読み取る識別情報読み取り部である１つのアンテナ５０が設けられている。尚、本実施の形態のアンテナ５０の機能は、上述した第１実施の形態に示したアンテナ５の機能と同等であるため、その説明は省略する。
【００９１】
また、本実施の形態においては、アンテナ５０は、内視鏡１０、リモコン８が収容されたトレー１１が洗浄消毒槽６に収容された際、例えば内視鏡１０のＩＤタグ１０ｐのみに平面視した状態で重なる大きさに形成されている。よって、アンテナ５０は、上述したアンテナ５よりも小さく形成されている。
【００９２】
また、洗浄消毒槽６の底部６ｔには、図示しないレールが設けられており、該レールの、例えば図示しない爪部により、アンテナ５０は、洗浄消毒槽６の底部６ｔにおける平面方向Ｍに移動自在に保持されている。この爪部により、アンテナ５０は、洗浄消毒槽６の底部６ｔから落下してしまうことがない。また、レールにより、アンテナ５０は、洗浄消毒槽６の底部６ｔに対し非接触で移動自在となっている。
【００９３】
具体的には、アンテナ５０の一端に、洗浄消毒槽６の底部６ｔの平面方向Ｍの端部６ｔ１の壁部２１に一端が固定された移動部材である圧縮バネ（以下、単にバネと称す）２２の他端が接続されており、アンテナ５０の他端に、移動部材であるワイヤ２７の一端が接続されている。
【００９４】
また、ワイヤ２７の中途位置は、洗浄消毒槽６の底部６ｔの平面方向Ｍの端部６ｔ２に固定された滑車２５ａに保持されており、ワイヤ２７の他端は、端部６ｔ２の高さ方向Ｈの上方において、例えば洗浄消毒槽６の収容口６ｓ近傍に位置する滑車２５ｂに保持されてトップカバー３の端部に接続されている。
【００９５】
このことにより、図５、図６に示すように、装置本体２に対して、トップカバー３が閉成されると、滑車２５ａ、２５ｂを介して牽引されたワイヤ２７により、アンテナ５０は、平面方向Ｍに、具体的には、端部６ｔ１側から端部６ｔ２側にレール上を移動する。
【００９６】
また、装置本体２に対して、トップカバー３が開成されると、バネ２２により、アンテナ５０は、平面方向Ｍに、具体的には、端部６ｔ２側から端部６ｔ１側にレール上を移動する。即ち、アンテナ５０は、トップカバー３の開閉に伴って、平面方向Ｍに移動自在となっている。尚、その他の構成は、上述した第１実施の形態と同様である。
【００９７】
次に、このように構成された本実施の形態の作用について、上述した図５、図６を用いて説明する。
【００９８】
尚、以下に示す作用は、第１実施の形態同様、洗浄消毒装置１において、洗浄消毒槽６内に対し内視鏡１０、リモコン８が収容されたトレー１１を収容する作用について説明する。よって、その他の洗浄消毒装置１の作用は周知であるため、その説明は省略する。
【００９９】
先ず、内視鏡１０、リモコン８、トレー１１を、洗浄消毒装置１を用いて洗浄消毒する際は、ユーザは、内視鏡１０、リモコン８をトレー１１の挿入部載置部１１ｎ、操作部載置部１１ｍ、リモコン載置部１１ｒにそれぞれ収容する。この際、位置規制ガイド１３により、トレー１１内において、内視鏡１０の操作部１０ｔ及びリモコン８が位置決めされる。
【０１００】
次いで、トップカバー３が開成された状態において、図５に示すように、ユーザは、トレー１１を、洗浄消毒槽６に対し、挿入部載置部１１ｎが挿入部載置部６ｎに位置され、操作部載置部１１ｍが操作部載置部６ｍに位置され、リモコン載置部１１ｒがリモコン載置部６ｒに位置されるように収容する。
【０１０１】
この際、トレー１１、操作部１０ｔ、リモコン８が、洗浄消毒槽６の内周側面６ｖ及び位置規制ガイド１３により、アンテナ５が各ＩＤタグ１１ｐ、８ｐ、１０ｐから、トレーＩＤ、スコープＩＤ、リモコンＩＤをそれぞれ読み取れる位置に規定される。
【０１０２】
より具体的には、洗浄消毒槽６に収容されたトレー１１、内視鏡１０、リモコン８の内、例えば内視鏡１０のＩＤタグ１０ｐが、平面視した状態でアンテナ５に重なるよう、洗浄消毒槽６におけるトレー１１、内視鏡１０、リモコン８の位置が規定される。
【０１０３】
その後、制御部１００により、アンテナ５を介して、内視鏡１０のＩＤタグ１０ｐから、スコープＩＤが読み取られる。尚、読み取られたスコープＩＤは、メモリ１０４に記憶される。
【０１０４】
次いで、ユーザは、装置本体２に対し、トップカバー３を閉成する。その結果、トップカバー３の端部に他端が接続されたワイヤ２７が、滑車２５ａ、２５ｂを介して牽引されることにより、ワイヤ２７の一端が接続されたアンテナ５０が、レール上において、平面方向Ｍに移動する。具体的には、洗浄消毒槽６の底部６ｔの端部６ｔ１側から端部６ｔ２側にバネ２２の圧縮力に抗してアンテナ５０がレール上を移動する。
【０１０５】
この際、アンテナ５０の移動に伴い、アンテナ５０は、トレー１１のＩＤタグ１１ｐ、リモコン８のＩＤタグ８ｐに平面視した状態で重なる位置を通過するため、制御部１００により、アンテナ５を介して、トレー１１、リモコン８の各ＩＤタグ１１ｐ、８ｐから、トレーＩＤ、リモコンＩＤがそれぞれ読み取られる。尚、読み取られたトレーＩＤ、リモコンＩＤは、メモリ１０４にそれぞれ記憶される。
【０１０６】
その後、ユーザは、アンテナ７にＩＤカード２０を近付けて、アンテナ７にユーザＩＤを読み取らせた後、操作パネル４からスタートボタンをオンすると、洗浄消毒工程が開始される。
【０１０７】
最後に、洗浄消毒工程終了後、ユーザは、内視鏡１０、リモコン８、トレー１１を洗浄消毒槽６から取り出すため、トップカバー３を開成する。その結果、ワイヤ２７は弛緩されてしまうが、圧縮バネ２２により、アンテナ５０は、平面方向Ｍにおいて、レール上において端部６ｔ２側から端部６ｔ１側へと移動し、内視鏡１０のＩＤタグ１０ｐに平面視した状態で重なる初期位置まで移動する。尚、この移動の際、制御部１００から、各ＩＤタグ１０ｐ、１１ｐ、８ｐに新たな情報がアンテナ５を介して書き込まれても構わない。
【０１０８】
このように、本実施の形態においては、洗浄消毒槽６の底部６ｔに設けられたアンテナ５０は、トップカバー３の開閉に伴い平面方向Ｍに移動自在となり、移動に伴い、内視鏡１０、トレー１１、リモコン８の各ＩＤタグ１０ｐ、１１ｐ、８ｐから、スコープＩＤ、トレーＩＤ、リモコンＩＤをそれぞれ読み取ると示した。
【０１０９】
このことによれば、上述した第１実施の形態よりも、アンテナ５０を小さく形成することができるため、コスト削減できる他、装置本体２におけるアンテナ５０の配置スペースをより小さくすることができる。尚、その他の効果は、上述した第１実施の形態と同様である。
【０１１０】
尚、以下、変形例を示す。本実施の形態においては、アンテナ５０は、平面方向Ｍにおいて、洗浄消毒槽６の底部６ｔの端部６ｔ１側と端部６ｔ２側とにおいて、移動自在であると示したが、平面方向Ｍであれば、その方向に移動方向が限定されないということは勿論である。
【０１１１】
また、本実施の形態においては、アンテナ５０は、トップカバー３の開閉に伴って移動自在であると示したが、これに限らず、例えばモータ等の移動部材により、トップカバー３の開閉とは関係なしに移動自在であっても構わない。
【０１１２】
また、上述した第１及び第２実施の形態においては、被洗浄消毒物は、内視鏡１０、トレー１１、リモコン８を例に挙げて示したが、これに限らず、洗浄消毒装置１で洗浄消毒できるものであれば、他のものであっても良いことは勿論である。
【０１１３】
また、上述した第１及び第２実施の形態においては、ＩＤタグ１０ｐ、１１ｐ、８ｐは、ＲＦＩＤを例に挙げて示したが、これに限らず、被洗浄消毒物の識別情報を読み取れるものであれば、何でも良いことは勿論である。
【０１１４】
さらに、上述した第１及び第２実施の形態においては、位置規制ガイド１３は、トレー１１の底部１１ｂから起立して設けられていると示したが、トレー１１を用いずに、被洗浄消毒物を、洗浄消毒槽６に直接収容して洗浄消毒するタイプの洗浄消毒装置においては、洗浄消毒槽６の底部６ｔから起立して設けられていればよい。
【０１１５】
また、本発明は以上述べた実施形態のみに限定されるものでなく、発明の要旨を脱しない範囲で種々変形可能である。
【図面の簡単な説明】
【０１１６】
【図１】本実施の形態を示す洗浄消毒装置を示す斜視図。
【図２】図１の洗浄消毒槽を、トップカバーを透視して概略的にみた洗浄消毒装置の上面図。
【図３】図２中のIII-III線に沿う洗浄消毒槽の断面を、洗浄消毒槽にトレー、内視鏡、リモコンが収容された状態で示す断面図。
【図４】被洗浄消毒物の各識別タグからそれぞれ識別情報を読み取るための回路の構成を概略的に示すブロック図。
【図５】本実施の形態の洗浄消毒装置におけるトップカバー開成の際の洗浄消毒槽の断面を、洗浄消毒槽にトレー、内視鏡、リモコンが収容された状態で示す断面図。
【図６】図５のトップカバーが閉成された状態を示す断面図。
【図７】本実施の形態の変形例を示す洗浄消毒槽を、トップカバーを透視して概略的にみた洗浄消毒装置の上面図。
【図８】図７中のVIII-VIII線に沿う洗浄消毒槽の断面を、洗浄消毒槽にトレー、内視鏡、リモコンが収容された状態で示す断面図。
【図９】図７、図８のアンテナがスコープＩＤ、リモコンＩＤ、トレーＩＤを読み取る様子を示す図。
【図１０】本実施の形態の別の変形例を示す洗浄消毒槽及びトップカバーの断面を、洗浄消毒槽にトレー、内視鏡、リモコンが収容された状態で示す断面図。
【図１１】図１０のトップカバーが洗浄消毒槽に対し閉成された状態を示す断面図。
【符号の説明】
【０１１７】
１…洗浄消毒装置（内視鏡洗浄消毒装置）
２…装置本体
３…トップカバー（蓋体）
５…アンテナ（識別情報読み取り部）
５ｘ…読み取り面
５ｙ…読み取り面
６…洗浄消毒槽
６ｓ…収容口
６ｔ…底部
６ｖ…内周側面（位置規制部材）
８…リモコン（被洗浄消毒物）
８ｐ…ＩＤタグ（識別タグ）
１０…内視鏡（被洗浄消毒物）
１０ｐ…ＩＤタグ（識別タグ）
１１…トレー（被洗浄消毒物）
１１ｐ…ＩＤタグ（識別タグ）
１３…位置規制ガイド（位置規制部材）
２２…圧縮バネ（移動部材）
２７…ワイヤ（移動部材）
５０…アンテナ（識別情報読み取り部）
Ｍ…平面方向
【図１】
0005117198.tif 000002
【図２】
0005117198.tif 000003
【図３】
0005117198.tif 000004
【図４】
0005117198.tif 000005
【図５】
0005117198.tif 000006
【図６】
0005117198.tif 000007
【図７】
0005117198.tif 000008
【図８】
0005117198.tif 000009
【図９】
0005117198.tif 000010
【図１０】
0005117198.tif 000011
【図１１】
0005117198.tif 000012